(57)【要約】【課題】既知のワゴンとは異なった活用が可能な斬新な収納家具を提供する。【解決手段】左右両側に対をなす側板１１の間に物品を収納するための収納空間１Ｈを内在させている筐体１と、前記筐体１の収納空間１Ｈを前方から遮蔽する上下動可能な扉２と、前記扉２よりも後方に退避して前記収納空間１Ｈ内に収容される収容状態と扉２よりも前方に進出して収納空間１Ｈ外に露出する露出状態とをとり得る抽斗６とを具備する収納家具０を構成した。【選択図】図３
2019058365.tif 000002
【特許請求の範囲】
【請求項１】
左右両側に対をなす側板の間に物品を収納するための収納空間を内在させている筐体と、
前記筐体の収納空間を前方から遮蔽する上下動可能な扉と、
前記扉よりも後方に退避して前記収納空間内に収容される収容状態と扉よりも前方に進出して収納空間外に露出する露出状態とをとり得る抽斗と
を具備する収納家具。
【請求項２】
前記収容状態をとる前記抽斗の前方に位置づけた前記扉を前記筐体に対して上下動不能に固定する施錠が可能な請求項１記載の収納家具。
【請求項３】
前記筐体の収納空間が上下方向に沿って複数段の区画に区分され、そのうちの上方の区画の上縁部に前記抽斗が配置されており、
前記抽斗が前記露出状態をとるときに、前記扉の上端部が前記抽斗に下方から当接して前記収納空間の下方の区画を開放することができる請求項１または２記載の収納家具。
【請求項４】
前記筐体の上端部に取り付けられ筐体の外側方に向かって延伸する拡張天板と、
前記拡張天板の後縁に沿って設立され拡張天板の上面よりも高位置まで起立するパネルと
を具備する請求項１、２または３記載の収納家具。
【発明の詳細な説明】
【技術分野】
【０００１】
本発明は、物品を収納するために用いられる収納家具に関する。
【背景技術】
【０００２】
オフィス等において執務用のデスクとともに使用される収納家具として、下記特許文献に開示されているようなワゴンが公知である。この種のワゴンは、筐体に上下複数段の抽斗を収容してなるもので、各段の抽斗を手前方に引き出すことで筐体外に露出させ、その抽斗内に物品を収納したり、抽斗内から物品を取り出したりして使用する。また、抽斗を筐体に収めた状態でこれを施錠することも可能となっている。
【０００３】
各段の抽斗を引き出す操作の都合上、この種のワゴンは、デスクの天板の直下の下肢空間に配置されることが多い。その場合、デスクの前に着席して執務を行う者の膝元または足下の空間が圧迫されることがあり、一方で着席者の真横の空間は抽斗の出し入れのために物を置けないデッドスペースとなるきらいがある。
【先行技術文献】
【特許文献】
【０００４】
【特許文献１】特開２００４−２０２１７６号公報
【発明の概要】
【発明が解決しようとする課題】
【０００５】
本発明は、既知のワゴンとは異なる活用が可能な斬新な収納家具を提供しようとするものである。
【課題を解決するための手段】
【０００６】
本発明では、左右両側に対をなす側板の間に物品を収納するための収納空間を内在させている筐体と、前記筐体の収納空間を前方から遮蔽する上下動可能な扉と、前記扉よりも後方に退避して前記収納空間内に収容される収容状態と扉よりも前方に進出して収納空間外に露出する露出状態とをとり得る抽斗とを具備する収納家具を構成した。
【０００７】
前記抽斗内に収納した物品の紛失や持ち去り、盗難を抑止するためには、前記収容状態をとる抽斗の前方に位置づけた前記扉を前記筐体に対して上下動不能に固定する施錠が可能なものであることが好ましい。
【０００８】
前記筐体の収納空間が上下方向に沿って複数段の区画に区分され、そのうちの上方の区画の上縁部に前記抽斗が配置されており、前記抽斗が前記露出状態をとるときに、前記扉の上端部が前記抽斗に下方から当接して前記収納空間の下方の区画を開放することができるならば、抽斗と収納空間の下方の区画とを同時に利用可能となる。
【０００９】
また、前記筐体の上端部に取り付けられ筐体の外側方に向かって延伸する拡張天板と、前記拡張天板の後縁に沿って設立され拡張天板の上面よりも高位置まで起立するパネルとを具備していれば、執務用デスク等の天板付家具とともに当該収納家具を用いることで、天板付家具に物品の収納機能に加えてサイドテーブル（または、サブテーブル）及びサイドパネル（または、エンドパネル）を後付けすることができる。
【発明の効果】
【００１０】
本発明によれば、既知のワゴンとは異なった活用が可能な斬新な収納家具を実現できる。
【図面の簡単な説明】
【００１１】
【図１】本発明の一実施形態の収納家具及び天板付家具の斜視図。
【図２】同実施形態の収納家具の斜視図。
【図３】同実施形態の収納家具の斜視図。
【図４】同実施形態の収納家具の側断面図。
【図５】同実施形態の収納家具の側断面図。
【図６】同実施形態の収納家具の側断面図。
【図７】同実施形態の収納家具の側断面図。
【図８】同実施形態の収納家具の扉のスライダの斜視図。
【図９】同実施形態の収納家具の前方の隅角部を拡大して示す平断面図。
【図１０】同実施形態の収納家具の平面図。
【発明を実施するための形態】
【００１２】
本発明の一実施形態を、図面を参照して説明する。図１ないし図１０に示す本実施形態の収納家具０は、内部に物品を収納可能な収納空間１Ｈ、１Ｌを有する筐体１と、筐体１の収納空間１Ｈに収容される抽斗６と、筐体１の収納空間１Ｈ、１Ｌを遮蔽する上下動可能な扉２と、扉２の自重を打ち消すためのカウンタウェイト３と、カウンタウェイト３が扉２の上下動と相反する方向に上下動するように扉２とカウンタウェイト３とを連動させる連動機構４と、筐体１の後背に取り付けられる化粧パネル５とを具備する。
【００１３】
筐体１内の収納空間１Ｈ、１Ｌは、筐体１の正面側に開放している。図２ないし図７に示すように、収納空間は、上下方向に沿って複数段の区画１Ｈ、１Ｌに区分されている。本実施形態では、筐体１が上下二段の区画１Ｈ、１Ｌを包有しており、それら区画１Ｈ、１Ｌの境界部位に棚１７が設置される。扉２は、筐体１の直前にあって、収納空間１Ｈ、１Ｌを前方より遮蔽する。扉２の上下寸法は、収納空間の個々の区画１Ｈ、１Ｌの上下方向に沿った内寸に概ね等しい。換言すれば、扉２の上下寸法は、上段の区画１Ｈ及び下段の区画１Ｌを合わせた収納空間全体の上下方向に沿った内寸よりも小さい。つまり、扉２は、収納空間の全ての区画１Ｈ、１Ｌを同時に遮蔽することはなく、図２、図４及び図７に示すように一方の区画１Ｈを遮蔽しつつ他方の区画１Ｌを開放する状態と、図３、図５及び図６に示すように一方の区画１Ｈを開放しつつ他方の区画１Ｌを遮蔽する状態とを選択的にとり得る。
【００１４】
図１に示しているように、本実施形態の収納家具０は、他の天板付家具、例えば執務用のデスク９とともに使用することができる。その際には、（収納空間１Ｈ、１Ｌが開口しかつ扉２が存在する）筐体１の正面をデスク９の内側方に向けるように配置する。さすれば、デスク９の前に着席した人の側方、その人の手が届き得る場所に筐体１の収納空間１Ｈ、１Ｌを配置することができ、当該人が収納空間１Ｈ、１Ｌに対して物を出し入れすることが容易となる。
【００１５】
本実施形態の収納家具０には、拡張天板であるサイドテーブル（または、サブテーブル）７、及びサイドパネル（または、エンドパネル）８が付帯することがある。サイドテーブル７は、収納家具０の筐体１の上端部に固定するとともに、筐体１の外側方に向かって延伸する。筐体１の上端部はデスク９の天板９１と略同等の高さ位置にあり、筐体１はデスク９の天板９１の直下には入り込まない。一方で、筐体１から突出するサイドテーブル７はデスク９の天板９１よりも高位置にあって、デスク９の天板９１の上方の領域に迫り出す。筐体１の上方からデスク９の天板９１上まで延びるこのサイドテーブル７は、デスク９の前に着席した人と他の人とがサイドテーブル７を挟んでコミュニケーションをとるとき等に好適に活用できる。
【００１６】
サイドパネル８は、収納家具０の筐体１またはサイドテーブル７に固定する。サイドパネル８は、サイドテーブル７の後縁に沿って設立され、サイドテーブル７の上面よりも高い位置まで起立する。
【００１７】
加えて、サイドテーブル７の上方に棚８１を設けることもできる。棚８１は、サイドパネル８またはサイドテーブル７に支持させる。
【００１８】
収納家具０、サイドテーブル７及びサイドパネル８をデスク９に付設するにあたっては、例えば、筐体１から突出するサイドテーブル７の下面側に予めクランプ等を設け、そのクランプ等によりデスク９の天板９１の使用端側及び／または反使用端側の縁部を挟持することで、収納家具０、サイドテーブル７及びサイドパネル８をデスク９に結合する。なお、収納家具０、サイドテーブル７及びサイドパネル８を一体化したユニットに自立性を持たせることを妨げない。
【００１９】
図２ないし図１０に示すように、本実施形態の収納家具０の筐体１は、当該収納家具０の左右両側に対をなす側板１１と、左右の側板１１の下端部同士を連結する底板１２と、左右の側板１１の上端部同士（但し、それらの前端部位のみ）を連結する頂板１３と、左右の側板１１の後端部同士を連結するとともに底板１２の後端部及び頂板１３の後端部を連結する後板１４とによって収納空間１Ｈ、１Ｌを囲繞する、前方に開放した箱状をなしている。
【００２０】
側板１１は、その前端側において、内側方に屈曲することで前後方向を向く面を形成した前壁１１１を備えている。前壁１１１の内側縁部は、後方に屈折し、さらにその後外側方に屈折している。この前壁１１１の左右幅は、側板１１の左右方向の厚みＴに等しいか略等しくなる。
【００２１】
側板１１の前端部における、前壁１１１から後方に離間した位置の内側面には、上下方向に伸長する補強材１１２を固定している。図４ないし図７及び図９に示すように、補強材１１２は、平断面視外側方に開放したチャネル状をなす基部１１２ａの前後方向を向く前壁１１２ｂ及び後壁１１２ｃの各々から、前方及び後方に向けて接合片１１２ｄ、１１２ｆを延出させた形状をなし、それら接合片１１２ｄ、１１２ｆが側板１１の内側面に接合する。補強材１１２の前壁から前方に延出する接合片１１２ｄは、その前端部で内側方に屈折し、さらにその後前方に屈折している。補強材１１２の接合片１１２ｄにおける内側方に屈折した部位１１２ｅは、側板１１の前壁１１１における外側方に屈折した部位１１１ａと略面一となって、当該部位１１１ａとともに側板１１の前壁１１１の後面を形作る。側板１１の前壁１１１（より詳しくは、側板１１の前壁１１１の部位１１１ａ及び補強材１１２の接合片１１２ｄの部位１１２ｅ）と補強材１１２の前壁１１２ｂとは、前後方向に沿って離間して対向している。これら両者の間の領域には、後述する扉２のスライダ２４が収められる。
【００２２】
筐体１内に設置される棚１７は、既知の一般的な棚と同様、側板１１の内側面に装着される棚受１８によりその左右両側部が支持される。この棚１７は、筐体１内部の収納空間を上下二段の区画１Ｈ、１Ｌに隔てる。上段の区画１Ｈに収納される物品は棚１７の上面に載置され、下段の区画１Ｌに収納される物品は底板１２の上面に載置される。
【００２３】
図４ないし図７及び図９に示しているように、側板１１の内側面における、収納空間の上段の区画１Ｈに面する箇所には、側板１１自体の内側面とこれに接合している補強材１１２の基部１１２ａの内側面との段差を隠蔽するための内装板１５を取り付けることができる。なお、図４ないし図７では、内装板１５を鎖線で描画するとともに、その取付箇所に網点を付している。内装板１５の存在により、上段の区画１Ｈに対して物品を出し入れするときにその物品が補強材１１２に引っ掛かるようなことがなくなる。取り付けられた内装板１５の前端縁と、側板１１の前壁１１１の後面（より詳しくは、側板１１の前壁１１１の部位１１１ａ及び補強材１１２の接合片１１２ｄの部位１１２ｅ）との間には、後述する扉２のスライダ２４の差入部２４１ｂを通過させる隙間が形成されている。
【００２４】
頂板１３は、その前端部が左右方向に延伸する横木１３１となって、左右の側板１１の上端部の前端部位に接合する。一方で、頂板１３における前端部よりも後方に延出する面板部１３２は、その左右幅寸法が、前端部の左右幅寸法よりも幾分縮小している。これにより、筐体１の左右の側板１１の上端部と、頂板１３の面板部１３２の左右両側端との間が、左右方向に沿って離間することとなる。筐体１の側板１１の上端部と頂板１３の面板部１３２の側端との間隙には、後述する連動機構４のワイヤ４１、滑車４２及びブラケット４３が配置される。
【００２５】
扉２は、筐体１の前方にあって、上下にスライド移動できるよう筐体１に支持されている。扉２は、正面視方形状をなす平板な扉本体２１と、扉本体２１の上縁に沿って設けられる引手２２と、扉本体２１の上端部に設けられる錠２３と、扉本体２１の左右両側部の後面側に設けられるスライダ２４とを備える。
【００２６】
引手２２は、扉本体２１の前面よりも少しく前方に突出しており、これに手指を掛けて扉２を持ち上げたり引き下げたりする操作を容易に行い得るようになっている。
【００２７】
錠２３は、扉２を上方に位置付けた状態で、即ち筐体１内の収納空間の上段の区画１Ｈを閉鎖しつつ下段の区画１Ｌを開放した状態で、その扉２を筐体１に掛止する施錠の役割を担う。錠２３は、その鍵穴に鍵が挿入されて回動操作されることで、鉤爪型をなすデッドボルト２３１を扉２の上端よりも上方に突出させる。他方、筐体１の頂板１３の前端部１３１の下向面には、錠２３のデッドボルト２３１と係合するストライク（受座）となる係合穴１３３が開設されている。
【００２８】
扉２をその上下動可能な可動範囲の上限まで持ち上げた後、錠２３のデッドボルト２３１を回動操作すると、デッドボルト２３１が扉２の上端より突出して筐体１の係合穴１３３の内に進入し、これに係合する。その結果、扉２がデッドボルト２３１を介して筐体１に係留され、扉２を引き下げる操作が不可能となる、即ち筐体１内の収納空間の上段の区画１Ｈが閉じられたままとなる。収納空間の上段の区画１Ｈを開放したいときには、錠２３のデッドボルト２３１を逆方向に回動操作して、筐体１の係合穴１３３に係合していたデッドボルト２３１を係合穴１３３から抜出させればよい。係合穴１３３から退出したデッドボルト２３１は、扉２の上端よりも下方に没入する。
【００２９】
このように、本実施形態の収納家具０では、筐体１内の収納空間のうちの上段の区画１Ｈを扉２により閉じて施錠することができる。これに対し、収納空間の下段の区画１Ｌは、扉２により閉じることはできるものの、その扉２を不動に施錠することはできない。従って、収納空間の上段の区画１Ｈは、紛失や無断持ち出し等の懸念のある物品、例えばデスク９の前に着席していないときに書類、印鑑やカード類、文具その他の小物、情報処理端末（ノートブック型コンピュータ、タブレット型コンピュータ、携帯電話端末等）等を保管しておく用途に適している。翻って、下段の区画１Ｌは、紛失や無断持ち出し等の懸念の小さい物品、例えば今デスク９の前に着席し執務している人の履物等を収納する用途に適している。
【００３０】
スライダ２４は、扉本体２１と筐体１との間に介在し、筐体１に対して上下方向に沿って摺動する。スライダ２４は、扉２の左右に対をなして存在する。図４ないし図９に示すように、スライダ２４は、扉２の外側縁部の後面に固定されるブラケット２４１に、前後方向に伸びる軸回りに回動可能な車輪２４２、及び左右方向に伸びる軸回りに回動可能な車輪２４３を支持させてなるものである。
【００３１】
スライダ２４のブラケット２４１は、左右方向に拡張しかつ上下方向に伸長した接合部２４１ａと、接合部２４１ａの外側端から後方に屈曲した後さらに外側方に屈曲して平断面視略Ｌ字形をなす差入部２４１ｂと、差入部２４１ｂの外側端から後方に屈曲した後片部２４１ｄとを有している。接合部２４１ａは、扉２の左右の側端部の後面に接合する。差入部２４１ｂ及び後片部２４１ｄは、筐体１の側板１１の前壁１１１（より詳しくは、側板１１の前壁１１１の部位１１１ａ及び補強材１１２の接合片１１２ｄの部位１１２ｅ）と補強材１１２の前壁１１２ｂとの間の領域に差し入る。
【００３２】
そして、ブラケット２４１の差入部２４１ｂの上端部及び下端部にそれぞれ、前後方向に伸びる軸回りに回動可能な車輪２４２を装着している。車輪２４２は、差入部２４１ｂにおける前後方向を向く部位の背後に所在する。ブラケット２４１の後片部２４１ｄの上下寸法は差入部２４１ｂの上下寸法よりも縮小しており、車輪２４２は後片部２４１ｄと干渉することなく後片部２４１ｄよりも外側方に突き出している。この車輪２４２は、筐体１の側板１１の前壁１１１と補強材１１２の前壁１１２ｂとの間の領域にあって、側板１１の内側面に接触し、扉２の上下動に伴ってその内側面の上を転動する。
【００３３】
加えて、ブラケット２４１の後片部２４１ｄの上端部及び下端部にそれぞれ、左右方向に伸びる軸回りに回動可能な車輪２４３を装着している。車輪２４３は、後片部２４１ｄの内側に所在する。ブラケット２４１の差入部２４１ｂの前後方向を向く部位には、当該部位を貫通する貫通窓２４１ｃが形成されており、車輪２４３はこの貫通窓２４１ｃを通じて差入部２４１ｂと干渉することなく差入部２４１ｂの前後方向を向く部位の前面から前方に突き出している。この車輪２４３は、筐体１の側板１１の前壁１１１と補強材１１２の前壁１１２ｂとの間の領域にあって、側板１１の前壁１１１の後面（より詳しくは、側板１１の前壁１１１における外側方に屈折した部位１１１ａの後面、及び／または、補強材１１２の接合片１１２ｄにおける内側方に屈折した部位１１２ｅの後面）に接触し、扉２の上下動に伴ってその後面の上を転動する。
【００３４】
図８に示しているように、ブラケット２４１の差入部２４１ｂにおける前後方向を向く部位、後片部２４１ｄ、及びブラケット２４１に支持される車輪２４２、２４３は、筐体１の側板１１の左右方向の厚みＴの内に配置される。
【００３５】
図４ないし図７及び図１０に示すように、扉２の自重との釣り合いをとるためのカウンタウェイト３は、筐体１内の収納空間１Ｈ、１Ｌを隔てて扉２の後方、そして筐体１の後板１４の背後に控えている。その全体形状としては、上下及び左右に拡張した正面視方形状をなす薄板体である。カウンタウェイト３の重量は、扉２の重量と略等しいが、扉２よりも軽くてもよく、あるいは扉２よりも重くても構わない。
【００３６】
他方、収納空間１Ｈ、１Ｌを後方から遮蔽する後板１４は、側板１１の後端よりも少しく前方に偏倚している。換言すれば、側板１１の後端が後板１４よりも後方に突き出している。これにより、後板１４の左右の側端部と左右の側板１１との間に、上下方向に伸長した溝部が形成されることとなる。その上で、カウンタウェイト３が上記の溝部に収容され、溝部内で上下方向に沿って移動することとなる。
【００３７】
化粧パネル５は、筐体１の後板１４及びカウンタウェイト３の後背に配置され、それら後板１４及びカウンタウェイト３を後方から隠蔽する。化粧パネル５は、筐体１に対して脱着可能となっている。具体的には、図４ないし図７に示しているように、化粧パネル５の上端部及び下端部に設けられ前面側に突出する係合爪５１、５２を、筐体１の後端近傍に形成された上下の爪受け１３４、１１２に係合させることにより、化粧パネル５を後板１４に係留する。なお、ビスやプッシュリベット等の止着具５３を使用して、化粧パネル５を筐体１に固定するようにしても構わない。
【００３８】
扉２の上下動とカウンタウェイト３の上下動とを連動させる連動機構４は、収納家具０の左右両側に対をなして存在する。図４ないし図７及び図１０に示すように、各連動機構４はそれぞれ、扉２とカウンタウェイト３とを接続するワイヤ４１と、ワイヤ４１が掛けられる複数個の滑車４２と、それら複数個の滑車４２を支持するブラケット４３とを要素とする。
【００３９】
収納家具０の右側に配される連動機構４において、ワイヤ４１は、その前端側が扉２の上端部における右側端の部位、特に扉２の後面側に固定された右側のスライダ２４のブラケット２４１に結着されるとともに、その後端側がカウンタウェイト３の上端部における右側端の部位に結着される。
【００４０】
滑車４２は、収納家具０の右側部にあって、前後方向に間欠的に配置される。これら滑車４２は、左右方向に伸びる軸回りに回動するものとなっている。配列された複数個の滑車４２のうちの最前方の滑車４２は、扉２の右側のスライダ２４の直上に位置しており、当該スライダ２４のブラケット２４１から直上に伸びるワイヤ４１が前方及び上方から巻き掛けられる。そのワイヤ４１は、当該滑車４２を介して後方に向きを変える。また、最後方の滑車４２は、カウンタウェイト３の右側端部の直上に位置しており、カウンタウェイト３の右側端部から直上に伸びるワイヤ４１が後方及び上方から巻きかけられる。そのワイヤ４１は、当該滑車４２を介して前方に向きを変える。そして、それら滑車４２の間に所在する中間の滑車４２には、前後方向に沿って延伸するワイヤ４１の中間部が下方から掛けられる。換言すれば、中間の滑車４２は、ワイヤ４１の中間部を上方から押さえつける。これら複数個の滑車４２は、同一のブラケット４３に支持され、当該ブラケット４３とともにユニット化されている。
【００４１】
収納家具０の左側に配される連動機構４のブラケットは、頂板１３の面板部１３２の左側端部に固定されることで、面板部１３２により支持される。そして、左側の連動機構４のワイヤ４１及び滑車４２は、左側の側板１１の上端部と頂板１３の面板部１３２の左側端との間隙に収まる。これらワイヤ４１及び滑車４２は、右側の側板１１の左右方向の厚みＴの内に配置される。
【００４２】
収納家具０の左側に配される連動機構４のワイヤ４１、滑車４２及びブラケット４３は、収納家具０の右側に配される連動機構４のそれらと左右対称の構成を有している。即ち、収納家具０の左側の連動機構４におけるワイヤ４１は、その前端側が扉２の上端部における左側端の部位、特に扉２の後面側に固定された左側のスライダ２４のブラケット２４１に結着されるとともに、その後端側がカウンタウェイト３の上端部における左側端の部位に結着される。
【００４３】
滑車４２は、収納家具０の左側部にあって、前後方向に間欠的に配置される。これら滑車４２は、左右方向に伸びる軸回りに回動する。配列された複数個の滑車４２のうちの最前方の滑車４２は、扉２の左側のスライダ２４の直上に位置しており、当該スライダ２４のブラケット２４１から直上に伸びるワイヤ４１が前方及び上方から巻き掛けられる。また、最後方の滑車４２は、カウンタウェイト３の左側端部の直上に位置しており、カウンタウェイト３の左側端部から直上に伸びるワイヤ４１が後方及び上方から巻きかけられる。そして、それら滑車４２の間に所在する中間の滑車４２には、前後方向に沿って延伸するワイヤ４１の中間部が下方から掛けられる。これら複数個の滑車４２は、同一のブラケット４３に支持され、当該ブラケット４３とともにユニット化されている。
【００４４】
収納家具０の右側に配される連動機構４のブラケットは、頂板１３の面板部１３２の右側端部に固定されることで、面板部１３２により支持される。そして、右側の連動機構４のワイヤ４１及び滑車４２は、右側の側板１１の上端部と頂板１３の面板部１３２の右側端との間隙に収まる。これらワイヤ４１及び滑車４２は、右側の側板１１の左右方向の厚みＴの内に配置される。
【００４５】
図３ないし図７に示しているように、筐体１内の収納空間の上段の区画１Ｈの上縁部には、上下寸法が比較的薄い箱体状の抽斗６が配置される。この抽斗６は、図２、図４及び図５に示すように筐体１内に収容される収容状態と、図３、図６及び図７に示すように筐体１外に露出する露出状態とをとり得るよう、前後スライド可能に筐体１に支持されている。抽斗６は、露出状態において扉２よりも前方に進出し、収容状態において扉２よりも後方に退避する。抽斗６は、書類、印鑑やカード類、文具、薄型の情報処理端末を収納するのに適している。
【００４６】
抽斗６が筐体１内に没入する収容状態では、図３及び図４に示すように、扉２を引き上げて収納空間の上段の区画１Ｈを閉止することができる。さらに、その状態で錠２３を操作して、扉２を筐体１に係留して施錠することも可能である。施錠を行えば、抽斗６に収納した物品の無断持ち出しを抑止できる。
【００４７】
抽斗６を筐体１外に露出する露出状態とするためには、（必要であれば錠２３を操作して解錠した後）扉２を引き下げて収納空間の上段の区画１Ｈを開放し、しかる後抽斗６を前方に引き出す。さすれば、抽斗６に対して物品を出し入れできるようになる。また、抽斗６が露出状態にあるときにも、図７に示すように、扉２の上端部が抽斗６に下方から当接または近接する高さ位置まで扉２を引き上げることで、収納空間の下段の区画１Ｌを開放することができる。つまり、抽斗６と収納空間の下段の区画１Ｌとを同時に利用することが可能である。
【００４８】
本実施形態では、左右両側に対をなす側板１１の間に物品を収納するための収納空間１Ｈ、１Ｌを内在させている筐体１と、前記筐体１の収納空間１Ｈ、１Ｌを前方より遮蔽する上下動可能な扉２と、前記扉２の上下動と相反する方向に上下動する、扉２の自重を打ち消すためのカウンタウェイト３と、前記扉２と前記カウンタウェイト３とを接続するワイヤ４１及びこのワイヤ４１が掛けられる滑車４２を含み、これらワイヤ４１及び滑車４２が前記側板１１の左右方向の厚みＴの内に配置される連動機構４とを具備する収納家具０を構成した。
【００４９】
本実施形態によれば、連動機構４の要素である複数個の滑車４２が前後方向に配列されるとともに、それら滑車４２に掛けられるワイヤ４１が前後方向に伸長し、最前方の滑車４２から鉛直下方に垂下して扉２の側端部に結着され、かつ最後方の滑車４２から鉛直下方に垂下してカウンタウェイト３の側端部に結着される。従って、ワイヤ４１に作用する張力によりこのワイヤ４１が滑車４２から脱離することが抑制される。その上で、ワイヤ４１及び滑車４２を筐体１の側板１１の左右方向の厚みＴの内に配置しているため、筐体１内部の収納空間１Ｈ、１Ｌの左右方向の内寸が広く確保される。
【００５０】
前記ワイヤ４１は、前記扉２及び前記カウンタウェイト３の各々の上端より上方に伸び、前後方向に延伸する中間部分が、前後方向に沿って配列され左右方向に伸びる軸回りに回動可能な複数個の前記滑車４２に掛けられており、ワイヤ４１が滑車４２からさらに脱離しにくくなっている。
【００５１】
前後方向に沿って配列される複数個の前記滑車４２は、単一のブラケット４３に支持されてユニット化されていることから、それら複数個の滑車４２を収納家具０の筐体１に対して簡便に取り付けることができ、その取り外しも容易となる。
【００５２】
前記側板１１が、前端部に内側方に屈曲しその左右幅が当該側板１１の左右方向の厚みＴに等しいか略等しい前壁１１１を備え、かつ前壁１１１から後方に離間した位置における内側面に上下方向に伸長し前方を向く前壁１１２ｂを有した補強材１１２が固定されているものであり、前記扉２の外側部に設けられ左右方向に伸びる軸回りに回動可能な車輪２４２が、前記側板１１の前壁１１１と前記補強材１１２の前壁１１２ｂとの間の領域に収められ、側板１１の前壁１１１（の後面。より詳しくは、側板１１の前壁１１１における外側方に屈折した部位１１１ａの後面、及び／または、補強材１１２の接合片１１２ｄにおける内側方に屈折した部位１１２ｅの後面）に接触して転動するため、簡便で低コストな構造で、上下動する扉２の前後方向へのぐらつきを抑制することができる。そして、高価なサスペンションレールを採用せずに済む。
【００５３】
さらに、前記扉２の外側部に設けられ前後方向に伸びる軸回りに回動可能な車輪２４３が、前記側板１１の前壁１１１と前記補強材１１２の前壁１１２ｂとの間の領域に収められ、側板１１の内側面に接触して転動するため、簡便で低コストな構造で、上下動する扉２の左右方向へのぐらつきを抑制することができる。
【００５４】
加えて、収納家具０の後端部の左右両側に平断面視内側方に開放し上下方向に伸長した溝部が設けられ、前記カウンタウェイト３の左右両側端部がそれぞれ左右の溝部の内に挿入されるものであって、カウンタウェイト３の左右幅寸法が伸縮可能であるため、当該収納家具０の後端部にカウンタウェイト３を配置する作業がより容易となる。
【００５５】
本実施形態の収納家具０は、左右両側に対をなす側板１１の間に物品を収納するための収納空間１Ｈ、１Ｌを内在させている筐体１と、前記筐体１の収納空間１Ｈ、１Ｌを前方から遮蔽する上下動可能な扉２と、前記扉２よりも後方に退避して前記収納空間１Ｈ内に収容される収容状態と扉２よりも前方に進出して収納空間１Ｈ外に露出する露出状態とをとり得る抽斗６とを具備しており、既知のワゴンとは異なった活用が可能である。
【００５６】
本実施形態の収納家具０は、前記収容状態をとる前記抽斗６の前方に位置づけた前記扉２を前記筐体１に対して上下動不能に固定する施錠が可能であり、前記抽斗６内に収納した物品の紛失や持ち去り、盗難を抑止することができる。
【００５７】
また、前記筐体１の収納空間が上下方向に沿って複数段の区画１Ｈ、１Ｌに区分され、そのうちの上方の区画１Ｈの上縁部に前記抽斗６が配置されており、前記抽斗６が前記露出状態をとるときに、前記扉２の上端部が前記抽斗６に下方から当接して前記収納空間の下方１Ｌの区画を開放することができるので、抽斗６と収納空間の下方の区画１Ｌとを同時に利用可能となる。
【００５８】
本実施形態の収納家具０は、前記筐体１の上端部に取り付けられ筐体１の外側方に向かって延伸する拡張天板７と、前記拡張天板７の後縁に沿って設立され拡張天板７の上面よりも高位置まで起立するパネル８とを具備している。よって、執務用デスク等の天板付家具９とともにこれを用いることで、天板付家具９に物品の収納機能に加えてサイドテーブル７及びサイドパネル８を後付けすることができる。
【００５９】
なお、本発明は以上に詳述した実施形態に限られるものではない。例えば、上記実施形態では、扉２の外側部に設けられ左右方向に伸びる軸回りに回動可能な車輪２４３が、側板１１の前壁１１１の後面に接触して転動するものであったが、この車輪２４３が、側板１１の前壁１１１に対向する補強材１１２の前壁１１２ｂの前面に接触して転動する構造とすることを妨げない。
【００６０】
その他、各部の具体的構成は、本発明の趣旨を逸脱しない範囲で種々変形が可能である。
【産業上の利用可能性】
【００６１】
本発明は、物品を収納するために用いられる収納家具に適用できる。
【符号の説明】
【００６２】
０…収納家具
１…筐体
１１…側板
１Ｈ…収納空間の上方の区画
１Ｌ…収納空間の下方の区画
２…扉
２３…錠
６…抽斗
７…拡張天板（サイドテーブルまたはサブテーブル）
８…パネル（サイドパネルまたはエンドパネル）
９…他の天板付家具
【図１】
2019058365.tif 000003
【図２】
2019058365.tif 000004
【図３】
2019058365.tif 000005
【図４】
2019058365.tif 000006
【図５】
2019058365.tif 000007
【図６】
2019058365.tif 000008
【図７】
2019058365.tif 000009
【図８】
2019058365.tif 000010
【図９】
2019058365.tif 000011
【図１０】
2019058365.tif 000012